【手続補正書】
【提出日】平成24年7月12日(2012.7.12)
【手続補正１】
【補正対象書類名】特許請求の範囲
【補正対象項目名】全文
【補正方法】変更
【補正の内容】
【特許請求の範囲】
【請求項１】
光電変換素子の光電変換により画素信号を生成する２次元に配列された画素と、
前記光電変換素子の上に配列された複数色からなるカラーフィルタと、
前記画素の行の選択を行う行選択部と、
前記行選択部により選択された行の画素の画素信号が出力される信号線と、
前記信号線に出力された画素信号を蓄積するための複数の容量と、
前記信号線と前記複数の容量との間に接続される複数の選択スイッチとを有し、
第１の加算動作では、前記行選択部が複数の行の画素を順次選択し、さらに、前記選択スイッチがオンすることにより、前記選択された複数の行の画素のうち、同色の前記カラーフィルタが配された前記画素の画素信号の各々が前記複数の容量のうちの一部の容量に蓄積され、その後、前記選択スイッチがオンすることにより、前記複数の容量のうちの一部の容量に蓄積された画素信号が前記信号線上で加算され、
前記第１の加算動作の後の第２の加算動作では、前記行選択部が他の複数の行の画素を順次選択し、さらに、前記選択スイッチがオンすることにより、前記選択された複数の行の画素のうち、同色の前記カラーフィルタが配された前記画素の画素信号の各々が前記複数の容量のうちの一部の容量に蓄積され、その後、前記選択スイッチがオンすることにより、前記複数の容量のうちの一部の容量に蓄積された画素信号が前記信号線上で加算され、
前記第１の加算動作では、前記選択スイッチがオンすることにより、前記複数の容量のうちの一部の容量に蓄積された画素信号が前記信号線上で加算され、前記第２の加算動作では、前記選択スイッチがオンすることにより、前記複数の容量のうちの他の一部の容量に蓄積された画素信号を用いて、前記第１の加算動作とは異なる行の画素の画素信号との加算が行われることを特徴とする固体撮像装置。
【請求項２】
前記複数の容量は、第１〜第４の容量を有し、
前記第１の加算動作では、前記選択スイッチがオンすることにより、第１の行の画素の画素信号が前記第２の容量に蓄積され、第２の行の画素の画素信号が前記第１の容量及び前記第４の容量に蓄積され、その後、前記選択スイッチがオンすることにより、前記第１、第２及び第３の容量に蓄積された画素信号が前記信号線上で加算され、
前記第２の加算動作では、前記選択スイッチがオンすることにより、第３の行の画素の画素信号が前記第２の容量に蓄積され、第４の行の画素の画素信号が前記第１の容量及び前記第３の容量に蓄積され、その後、前記選択スイッチがオンすることにより、前記第１、第２及び第４の容量に蓄積された画素信号が前記信号線上で加算されることを特徴とする請求項１記載の固体撮像装置。
【請求項３】
前記第１の容量、前記第３の容量及び前記第４の容量は相互に容量値が同じであり、前記第２の容量の１／２の容量値を有することを特徴とする請求項２記載の固体撮像装置。
【請求項４】
前記第２の容量は、各々が前記第１の容量、前記第３の容量及び前記第４の容量と同じ容量値の２個の容量を有することを特徴とする請求項３記載の固体撮像装置。
【請求項５】
前記第１の加算動作では、前記選択スイッチがオンすることにより、第１の色の第１の行の画素の画素信号が前記第２の容量に蓄積され、前記第１の色の第２の行の画素の画素信号が前記第１の容量及び前記第４の容量に蓄積され、その後、前記選択スイッチがオンすることにより、前記第１、第２及び第３の容量に蓄積された画素信号が前記信号線上で加算され、
その後、前記選択スイッチがオンすることにより、第２の色の第１の行の画素の画素信号が前記第２の容量に蓄積され、前記第２の色の第２の行の画素の画素信号が前記第１の容量及び前記第３の容量に蓄積され、その後、前記選択スイッチがオンすることにより、前記第１、第２及び第３の容量に蓄積された画素信号が前記信号線上で加算され、
その後、前記第２の加算動作では、前記選択スイッチがオンすることにより、前記第１の色の第３の行の画素の画素信号が前記第２の容量に蓄積され、前記第１の色の第４の行の画素の画素信号が前記第１の容量及び前記第３の容量に蓄積され、その後、前記選択スイッチがオンすることにより、前記第１、第２及び第４の容量に蓄積された画素信号が前記信号線上で加算されることを特徴とする請求項２〜４のいずれか１項に記載の固体撮像装置。
【請求項６】
光電変換素子の光電変換により画素信号を生成する２次元に配列された画素と、
前記光電変換素子の上に配列された複数色からなるカラーフィルタと、
選択された行の画素の画素信号が出力される信号線と、
前記信号線に出力された画素信号を蓄積するための複数の容量とを有する固体撮像装置の駆動方法であって、
複数の行の画素を順次選択し、さらに、前記選択された複数の行の画素の画素信号を前記複数の容量のうちの一部の容量に蓄積し、その後、前記複数の容量のうちの一部の容量に蓄積された画素信号を前記信号線上で加算する第１の加算ステップと、
前記第１の加算ステップの後、他の複数の行の画素を順次選択し、さらに、前記選択された複数の行の画素の画素信号を前記複数の容量のうちの一部の容量に蓄積し、その後、前記複数の容量のうちの一部の容量に蓄積された画素信号を前記信号線上で加算する第２の加算ステップとを有し、
前記第１の加算ステップでは、前記複数の容量のうちの一部の容量に蓄積された画素信号を前記信号線上で加算し、前記第２の加算ステップでは、前記複数の容量のうちの他の一部の容量に蓄積された画素信号を用いて、前記第１の加算ステップとは異なる行の画素の画素信号との加算を行うことを特徴とする固体撮像装置の駆動方法。
【請求項７】
前記複数の容量は、第１〜第４の容量を有し、
前記第１の加算ステップでは、第１の行の画素の画素信号を前記第２の容量に蓄積し、第２の行の画素の画素信号を前記第１の容量及び前記第４の容量に蓄積し、その後、前記第１、第２及び第３の容量に蓄積された画素信号を前記信号線上で加算し、
前記第２の加算ステップでは、第３の行の画素の画素信号を前記第２の容量に蓄積し、第４の行の画素の画素信号を前記第１の容量及び前記第３の容量に蓄積し、その後、前記第１、第２及び第４の容量に蓄積された画素信号を前記信号線上で加算することを特徴とする請求項６記載の固体撮像装置の駆動方法。
【請求項８】
前記第１の容量、前記第３の容量及び前記第４の容量は相互に容量値が同じであり、前記第２の容量の１／２の容量値を有することを特徴とする請求項７記載の固体撮像装置の駆動方法。
【請求項９】
前記第２の容量は、各々が前記第１の容量、前記第３の容量及び前記第４の容量と同じ容量値の２個の容量を有することを特徴とする請求項８記載の固体撮像装置の駆動方法。
【請求項１０】
前記第１の加算ステップでは、第１の色の第１の行の画素の画素信号を前記第２の容量に蓄積し、前記第１の色の第２の行の画素の画素信号を前記第１の容量及び前記第４の容量に蓄積し、その後、前記第１、第２及び第３の容量に蓄積された画素信号を前記信号線上で加算し、
その後、第２の色の第１の行の画素の画素信号を前記第２の容量に蓄積し、前記第２の色の第２の行の画素の画素信号を前記第１の容量及び前記第３の容量に蓄積し、その後、前記第１、第２及び第３の容量に蓄積された画素信号を前記信号線上で加算し、
その後、前記第２の加算ステップでは、前記第１の色の第３の行の画素の画素信号を前記第２の容量に蓄積し、前記第１の色の第４の行の画素の画素信号を前記第１の容量及び前記第３の容量に蓄積し、その後、前記第１、第２及び第４の容量に蓄積された画素信号を前記信号線上で加算することを特徴とする請求項７〜９のいずれか１項に記載の固体撮像装置の駆動方法。
【手続補正２】
【補正対象書類名】明細書
【補正対象項目名】０００６
【補正方法】変更
【補正の内容】
【０００６】
本発明の固体撮像装置は、光電変換素子の光電変換により画素信号を生成する２次元に配列された画素と、前記光電変換素子の上に配列された複数色からなるカラーフィルタと、前記画素の行の選択を行う行選択部と、前記行選択部により選択された行の画素の画素信号が出力される信号線と、前記信号線に出力された画素信号を蓄積するための複数の容量と、前記信号線と前記複数の容量との間に接続される複数の選択スイッチとを有し、第１の加算動作では、前記行選択部が複数の行の画素を順次選択し、さらに、前記選択スイッチがオンすることにより、前記選択された複数の行の画素のうち、同色の前記カラーフィルタが配された前記画素の画素信号の各々が前記複数の容量のうちの一部の容量に蓄積され、その後、前記選択スイッチがオンすることにより、前記複数の容量のうちの一部の容量に蓄積された画素信号が前記信号線上で加算され、前記第１の加算動作の後の第２の加算動作では、前記行選択部が他の複数の行の画素を順次選択し、さらに、前記選択スイッチがオンすることにより、前記選択された複数の行の画素のうち、同色の前記カラーフィルタが配された前記画素の画素信号の各々が前記複数の容量のうちの一部の容量に蓄積され、その後、前記選択スイッチがオンすることにより、前記複数の容量のうちの一部の容量に蓄積された画素信号が前記信号線上で加算され、前記第１の加算動作では、前記選択スイッチがオンすることにより、前記複数の容量のうちの一部の容量に蓄積された画素信号が前記信号線上で加算され、前記第２の加算動作では、前記選択スイッチがオンすることにより、前記複数の容量のうちの他の一部の容量に蓄積された画素信号を用いて、前記第１の加算動作とは異なる行の画素の画素信号との加算が行われることを特徴とする。